(57)【特許請求の範囲】
【請求項１】
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ垂直方向に延設された垂直部と、前記垂直部の上端から前記垂直部に関して前記係止部と反対面側の斜め上方向に張出した張出し部を有する基板部と、前記張出し部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしたことを特徴とするラックカバーの固定構造。
【請求項２】
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ前記係止爪から離れる斜め上方向に張出した張出し部と、前記張出し部の上端から前記水平板部に対して垂直に上方へ延設された垂直部を有する基板部と、前記垂直部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしたことを特徴とするラックカバーの固定構造。
【発明の詳細な説明】
【０００１】
【産業上の利用分野】
本発明はラックにラックカバーを固定するラックカバーの固定構造に関する。
【０００２】
【従来の技術】
例えば、ケーブル、配管、冷媒管などの長尺物を、建造物などの内部あるいは屋上、屋外などに配線・配管するために、図４に示すように２本の互いに平行な親桁１、１間を複数の一定間隔の子桁２で連結して成るラック３を設置し（子桁２の両端の下面が２本の親桁１、１の下端の折曲げ縁板１ａ、１ａの上面に溶接などで固定されている。）、ラック３の複数の子桁２の上にケーブル、配管、冷媒管などの長尺物（図示せず）を配線・配管することが行なわれている。そして、ラック３内に埃りがはいらないように、また、特にラック３が屋上や屋外に設置されている場合、風雨の影響を受けないように、ラックカバー４をラック３の親桁１、１の上に取付けている。
【０００３】
しかして、ラックカバー４を取付けるには、従来では、図４、５に示すように、下端に係止部１１を備えた帯板状のラックカバー固定用金具１０を用いて、ラックカバー４の取付穴４ａの真下の位置で親桁１の外側から親桁１の下端の折曲げ縁板１ａの先端側に、下側から金具１０の係止部１１の先端の係止爪１１ｂを上側にいれて外側に外れないように係止させ、ラックカバー４の取付穴４ａに上側から挿通したボルト２０を金具１０の上端部の折返し片１２のネジ穴１２ａに螺着し締め付けることによって固定している。ラックカバー４の両側縁部には、一定間隔で取付け穴４ａが設けられていて、各取付け穴４ａごとに同様の締付けをしてラックカバー４をラック３の上面に固定している。
【０００４】
【発明が解決しようとする課題】
しかしながら、この方法ではラックカバー４の取付穴４ａが子桁２の真上の位置にくると、図５のように金具１０の係止部１１の係止爪１１ａを親桁１の下端の折曲げ縁板１ａの先端側にいれて係止させることが、子桁２が邪魔になってできないので、金具１０を使用できないという不都合があった。
【０００５】
また、ラック３を屋内に設置する場合、天井からの吊りボルトで支持したサポート材（図示せず）でラック３を下側から支持する場合があるが、この場合にも、ラックカバー４の取付穴４ａがサポート材の真上の位置にくると、同様に金具１０の係止部１１ａの係止爪１１ａを親桁１の下端の折曲げ縁板１ａの先端に係止できないので、金具１０を使用できないという不都合があった。
【０００６】
また、ラック３を屋上や屋外で設置する場合、図１に示すように、架台６（図１参照）でラック３を支持することが多いが、この場合にも、ラックカバー４の取付穴４ａが架台６の真上の位置にくると、同じく金具１０を使用できないという不都合があった。
【０００７】
このため、ラックカバーの取付け穴４ａの位置が子桁や前記サポート材や前記架台の位置に一致する場合には、施工現場でこれらの障害物を避けて別の位置に新たに穴をドリルであけて金具１０を用いて締付け固定していた。
【０００８】
しかし、このように施工現場で新たに穴あけ作業をするのは大変手間がかかり、また見栄えの問題から、使用しなくなった取付け穴４ａはコーキングなどで埋めなければならず、大変煩雑で時間がかかっていた。
【０００９】
本発明はこのような問題を解決し、ラックカバーの取付け穴が前記したように子桁やサポート材や架台の位置にきた場合でも前記金具を用いて支障なく締付け固定できるようにしたラックカバーの固定構造を提供することを目的としている。
【００１０】
前記目的を達成するために、本発明の請求項１のラックカバーの固定構造では、
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ垂直方向に延設された垂直部と、前記垂直部の上端から前記垂直部に関して前記係止部と反対面側の斜め上方向に張出した張出し部を有する基板部と、前記張出し部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしたことを特徴としている。
また、本発明の請求項２のラックカバーの固定構造では、
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ前記係止爪から離れる斜め上方向に張出した張出し部と、前記張出し部の上端から前記水平板部に対して垂直に上方へ延設された垂直部を有する基板部と、前記垂直部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしたことを特徴としている。
【００１１】
このようにしたため、ラックカバーの取付け穴において前記連結板を固定し、ラックカバーの取付け穴から離れた両側にある前記連結板の複数の前記金具固定用穴において、前記ラックカバー固定用金具をそれぞれ固定することによって、ラックカバーの取付け穴が前記したように子桁やサポート材や架台の位置にきた場合でも、ラックカバーを支障なく親桁に固定できる。
【００１２】
【発明の実施の形態】
以下、図面に基づいて本発明の実施の形態を説明する。
図１は本発明の一実施形態によるラックカバーの固定構造を示している。
本発明のラックカバーの固定構造では、図２に示すように連結板３０と２つのラックカバー固定用金具１０（図４、５で示したものと同じ）を用いる。
【００１３】
連結板３０は、中央のラックカバーの取付け穴４ａに上側から挿通されたボルト２０の先端が挿通固定されるカバー固定用穴（ネジ穴）３１と、この中央のカバー固定用穴３１を挟んだ左右に一直線上に少なくとも２個ずつの金具固定用穴３２が設けられた帯板状の基板３３を備えている。この基板３３の幅方向の一端に、強度をだすため、及び、締付け時のラックカバー固定用金具１０の共回りを防ぐための縁板３４を直角方向に設けてもよい。
【００１４】
ラックカバー固定用金具１０は図４、５に示したものと同一のもので、金属の帯板から成り、側方へ水平方向に突出した水平板部１１ａと前記親桁１の下端の折曲げ縁板１ａの内側先端に係止するために該水平板部１１ａの先端から上向きに突設された係止爪片１１ｂとを有する係止部１１と、前記水平板部１１ａから上方ヘ垂直方向に延設された垂直部１３ｃと（図２参照）、この垂直部１３ｃの上端から垂直部に関して前記係止部１１と反対面側の斜め上方向に張出した張出し部１３ａを有する基板部１３と、前記張出し部１３ａの上端から前記係止部１１側へ水平方向に延設され先端近傍にボルト２０を螺着するためのボルト穴（ネジ穴）１２ａを有する折返し片１２とを備えている。
【００１５】
なお、基板部１３の上部には、ボルト２０の邪魔をしないための切欠き１３ｂが設けられている。
【００１６】
ラック３の上面にラックカバー４を固定するには次のようにする。
ラックカバー４の幅方向の両側部に一定間隔で設けられた取付穴４ａ、４ａ、…が、ラック３の子桁２、あるいは前記したサポート材、あるいは架台６でラックカバー固定用金具１０の使用が邪魔される位置ではない場合（図１の右上の取付け穴）には、図４、５で示したのと全く同様にラックカバー固定用金具１０を用いてラックカバー４の取付穴４ａに挿通したボルト２０を締付けて固定する。
【００１７】
そして、取付穴４ａが子桁２やサポート材（図示せず）や架台６でラックカバー固定用金具１０の使用が邪魔される位置にくる場合には、前記連結板３０のカバー固定用穴３１を挟んだ両側の複数の金具固定用穴３２のうちで子桁２や架台６などに邪魔されない位置の穴を１つずつ選んで、上側から挿通したボルト２０を、ラックカバー固定用金具１０の折返し片１２の前記ボルト穴（ネジ穴）１２ａに螺着し締付けて、左右に１つずつラックカバー固定用金具１０、１０を連結板３０の基板３３に固定する。
【００１８】
このように連結板３０に固定した２つのラックカバー固定用金具１０、１０を図１に示すように親桁１の外面側に位置させて、ラックカバー固定用金具１０、１０の下端の各係止部１１の水平板部１１ａを、親桁１の下端の折曲げ縁部１ａの下面に当てがって、先端の係止爪１１ｂを折曲げ縁部１ａの内側先端側に上へいれて係止させると共に、ラックカバー４の取付け穴４ａに上側からワッシャー２２を介して挿通したボルト２０を、連結板３０の中央のカバー固定用穴（ネジ穴）３１に螺着し、さらにネジ込むことによって、金具１０の下端の水平板部１１ａとボルト２０の頭部２０ａとの間で親桁１とラックカバー４とを上下から締付ける。このようにしてラックカバー４の下方に連結板３０を固定して、親桁１の上端に被せられたラックカバー４を親桁１に固定する。
【００１９】
なお、ラックカバー固定用金具１０は図３に示したように基板部１３の下部に張出し部１３ａを設けたものでもよい。
即ち、図３の実施形態では、基板１３は、水平板部１１ａから上方へ係止爪１１ｂから離れる斜め上方向に張出した張出し部１３ａと、この張出し部１３ａの上端から前記水平板部１１ａに対して垂直に上方へ延設された垂直部１３ｃとを備えている。
【００２０】
なお、連結板３０のカバー固定用穴３１をネジ穴にせず、単にボルト２０が挿通する穴にし、下側からナットでボルト２０を固定するようにしてもよい。ラックカバー固定用金具１０のボルト穴１２ａの場合も同様である。
【００２１】
【発明の効果】
以上説明したように、本発明の請求項１のラックカバーの固定構造では、
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ垂直方向に延設された垂直部と、前記垂直部の上端から前記垂直部に関して前記係止部と反対面側の斜め上方向に張出した張出し部を有する基板部と、前記張出し部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしている。
また、本発明の請求項２のラックカバーの固定構造では、
上端及び下端に互いに接近する方向に折曲げられた折曲げ縁板を備えた互いに平行な一対の親桁と、前記一対の親桁の下端の前記折曲げ縁板の上面に両端下面が接触した状態で、前記一対の親桁間を連結する複数の子桁とから成るラックの、前記一対の親桁の上端の前記折曲げ縁板の上面に接触した状態でラックカバーを被せ、前記上端の折曲げ縁板より外側に位置するように設けられた前記ラックカバーの取付け穴を用いて、前記ラックカバーを前記親桁の上端側に固定するラックカバーの固定構造において、
水平方向へ突出した水平板部と前記親桁の下端の折り曲げ縁板の内側先端に係止するために該水平板部の先端から上向きに突設された係止爪片とを有する係止部と、前記水平板部から上方へ前記係止爪から離れる斜め上方向に張出した張出し部と、前記張出し部の上端から前記水平板部に対して垂直に上方へ延設された垂直部を有する基板部と、前記垂直部の上端から前記垂直部に関して前記係止部側へ水平方向に延設され先端近傍にボルトを固定するためのボルト穴を有する折返し片とを備えた２個のラックカバー固定用金具と、
ラックカバーの取付け穴に上側から挿通されたボルトの先端が挿通固定されるカバー固定用穴と、該カバー固定用穴を挟んで一直線上に複数の金具固定用穴が設けられた帯板状の連結板とを用いて、
前記連結板の前記カバー固定用穴を挟んだ両側の２個の前記金具固定用穴に上側から挿通したボルトを、２個の前記ラックカバー固定用金具の前記各折り返し片の前記ボルト穴でそれぞれ締付けて前記各ラックカバー固定用金具を前記連結板に固定し、
前記各ラックカバー固定用金具を親桁の外面側に位置させ、前記各ラックカバー固定用金具の下端の前記係止部の前記水平部を、親桁の下端の折曲げ縁板の下面に当てがって前記係止爪を親桁の下端の折曲げ縁部の内側先端に係止させると共に、ラックカバーの取付け穴に上側から挿通したボルトを前記連結板の前記カバー固定用穴で締付けてラックカバーの下部に前記連結板を固定して、前記親桁の上端に被せられたラックカバーを親桁に固定するようにしている。
【００２２】
このため、ラックカバーの取付け穴において前記連結板を固定し、ラックカバーの取付け穴から離れた両側にある前記連結板の複数の前記金具固定用穴において、前記ラックカバー固定用金具をそれぞれ固定することによって、ラックカバーの取付け穴が前記したように子桁やサポート材や架台の位置にきた場合でも、ラックカバーを支障なく親桁に固定できる。
【図面の簡単な説明】
【図１】本発明の一実施形態のラックカバーの固定構造を示す斜視図
【図２】同実施形態の連結板とラックカバー固定用金具を示す斜視図
【図３】本発明の他の実施形態のラックカバー固定用金具を示す斜視図
【図４】従来のラックカバーの固定構造を示す斜視図
【図５】従来のラックカバーの固定構造を示す断面図
【符号の説明】
１  親桁
２  子桁
３  ラック
４  ラックカバー
４ａ  取付け穴
６  架台
１０  ラックカバー固定用金具
３０  連結板
【図１】
0003609055.tif 000002
【図２】
0003609055.tif 000003
【図３】
0003609055.tif 000004
【図４】
0003609055.tif 000005
【図５】
0003609055.tif 000006